(57)【要約】【課題】    皿部材筒部に対する皿部材皿部の移動場所は容器の先端付近で行い、皿部材筒部に対する皿部材皿部の上下動は、無段階的なスムーズな上下動にし、口紅等が最後に使い切るまでスムーズに出るようにする。【解決手段】口紅等を保持している、底面部材に対して側面部材が回転しない。よって、皿部材筒部に取り付けた突起が皿部材筒部内面に対して回転可能にする方法と口紅等を固定している底面が皿部材筒部内面に対して回転不能にする方法がある。皿部材筒部に取り付けた突起が皿部材筒部内面に対して回転可能にする方法は大別して二つの方法がある。皿部材筒部に回転可能な突起を取り付ける方法。と、皿部材筒部を内筒と外筒に分離し、内筒と外筒を回転可能にする方法がある。他に、口紅等を固定している底面が皿部材筒部内面に対して回転不能にする方法は、皿部材皿部の上に上皿を取り付けて、皿部材皿部の上皿が皿部材筒部内面に対して回転不能にする方法がある。【選択図】図１
2007195925.tif 000002
【特許請求の範囲】
【請求項１】
口紅等を固定する皿部材を皿部材筒部と皿部材皿部に分離し、皿部材筒部の外面に皿部材筒部側面リングを回転可能に取り付け、皿部材筒部側面リングに皿部材筒部突起を取り付け、皿部材皿部に皿部材皿部突起を取り付け、皿部材筒部の内面に突起を取り付け、皿部材皿部の外面に溝を取り付け、皿部材筒部の内面の突起と皿部材皿部の外面の溝は噛み合うように取り付け、皿部材筒部に対して皿部材皿部が上下動可能に取り付け、回転筒の内側に皿部材筒部と皿部材筒部側面リングと皿部材皿部とを上下動可能に取り付け、回転筒に縦割孔を取り付け、縦割孔の上端部に水平孔を取り付け、回転筒の上端にリングを取り付け、回転筒に回転把持部を取り付け、固定筒の内側に回転筒を回転可能に取り付け、固定筒の内側に螺旋溝を取り付け、皿部材筒部突起は回転筒の縦割孔と水平孔を移動可能に取り付け、皿部材皿部突起は回転筒の縦割孔のみを上下動可能に取り付け、皿部材筒部突起と皿部材皿部突起は固定筒の螺旋溝を上下動可能に取り付けた、以上のことを特徴とする口紅等の収納容器。
【請求項２】
口紅等を固定する皿部材を皿部材筒部と皿部材皿部に分離し、皿部材皿部の上に皿部材皿部上皿を回転可能に取り付け、皿部材筒部に対して皿部材皿部と皿部材皿部上皿が上下動可能に取り付け、皿部材筒部に皿部材筒部突起を取り付け、皿部材皿部に皿部材皿部突起を取り付け、皿部材筒部の内面に溝を取り付け、皿部材皿部上皿の外面に突起を取り付け、皿部材筒部の内面の溝と皿部材皿部上皿の外面の突起は噛み合うように取り付け、回転筒には縦割孔を取り付け、縦割孔の上端部に水平孔を取り付け、回転筒の上端にリングを取り付け、回転筒に回転把持部を取り付け、固定筒の内側に回転筒を回転可能に取り付け、固定筒の内側に螺旋溝を取り付け、皿部材筒部突起は回転筒の縦割孔と水平孔を移動可能に取り付け、皿部材皿部突起は回転筒の縦割孔のみを上下動可能に取り付け、皿部材筒部突起と皿部材皿部突起は固定筒の螺旋溝を上下動可能に取り付けた、以上のことを特徴とする口紅等の収納容器。
【発明の詳細な説明】
【技術分野】
【０００１】  本発明は、棒状の口紅等の収納容器において、口紅等を固定する皿部材を皿部材筒部と皿部材皿部に分離して二重構造にし、皿部材皿部を皿部材筒部に対して上昇させることで、収納容器から口紅等を全て出し切る、口紅等の収納容器に関する技術分野である。
【背景技術】
【０００２】  棒状の口紅等の収納容器において、口紅等を固定する皿部材を、皿部材筒部と皿部材皿部に分離して二重構造にし、収納容器から口紅等を全て出し切る発明は色々と有ります。従来の技術としては、皿部材を化粧料収納中皿（皿部材筒部）と押し出し板（皿部材皿部）に分け、化粧料収納中皿と押し出し板の間に残った口紅を化粧に使うには、押し出し板に軸部を取り付け、軸部に環状突起を複数取り付け、回転基台の内側に押し出し部材を押し付けて、化粧料収納中皿に対して押し出し板を押し上げることによって、口紅等を収納容器から出し切る容器（例えば、特許文献１参照。）。通常、口紅を使うには、収納容器から口紅の一部を出して使う。この時に、口紅が足りなくなったら、この特許文献１の収納容器では、化粧料収納中皿と押し出し板（押し出し部材）とを回転基台の内側まで（一番奥まで）下げないと、口紅を適量出し補充すことはできない。これでは、化粧の時に、口紅が足りなくなる毎に、化粧料収納中皿と押し出し板（押し出し部材）とを回転基台の内側まで下げ、口紅を適量出すことは、化粧の中断時間が長く、口紅を適量出すことに手間と時間がかかり不都合である。また、化粧料収納中皿の穴と軸部の環状突起とで口紅の出量を調整するので、口紅の上昇移動が段階的になり、口紅がスムーズに上昇しない。【０００３】  また、別の発明は、皿部材を化粧料収納筒（皿部材筒部）と押し出し部材（皿部材皿部）に分け、横割孔（水平孔）と縦割孔とを上端開口の回転筒に取り付けた（例えば、特許文献２参照。）。この特許文献２の収納容器では、化粧料収納筒に取り付けた化粧料収納筒突子が回転筒の横割孔を横に移動する間に、つまり、化粧料収納筒が押し出し部材に対して回転している間に、押し出し部材に取り付けた押し出し部材突子が上昇することで、化粧料収納筒に対して押し出し部材が上昇する。口紅が足りなくなったら、そのばで足りなくなった口紅を補充することができる。しかし、化粧料収納筒が押し出し部材に対して回転するので、化粧料収納筒と押し出し部材との間に捩れが生じる。化粧料収納筒と押し出し部材との間が捩れると、化粧料収納筒と押し出し部材に固定していた部分の口紅が変形し、化粧料収納筒と押し出し部材に固定していた口紅の周りに亀裂が生じ、化粧料収納筒と押し出し部材に固定していた口紅が不安定になり、何回か繰り返すと、口紅が収納容器から落ちてしまう。同様な発明として、内筒（回転筒）の縦孔（縦割孔）に停止溝（水平孔）を取り付けた（例えば、特許文献３参照。）。【０００４】  また、別の発明は、従動部材に第２溝とストッパを取り付けた（例えば、特許文献４参照。）。この特許文献４の収納容器では、従動部材に第２溝とストッパを取り付けてあるので、口紅の上下動が段階的になり、口紅がスムーズに上昇しない。また、特許文献３の収納容器は、本発明の口紅等の収納容器と比べると、部品の数が多く、構造が複雑で、安価に生産することは困難である。よって、特許文献４の収納容器の再利用を考えている。【０００５】
【特許文献１】  実開昭６２−６１６１３号公報
【特許文献２】  実開昭６０−４１８４７号公報
【特許文献３】  実開平６−８５６１５号公報
【特許文献４】  特許第３２９７２８３号公報
【発明の開示】
【発明が解決しようとする課題】
【０００６】  口紅等を固定する皿部材を皿部材筒部と皿部材皿部に分離して二重構造にし、収納容器から口紅等を全て出し切る技術において、皿部材筒部に対する皿部材皿部の上下動可能場所は収納容器の先端付近とする。【０００７】  皿部材筒部に対する皿部材皿部の上下動は、段階的な上下動でなく、無段階的にスムーズな上下動にし、口紅等が最後に使い切るまでスムーズに上昇するようにする。【０００８】  口紅等を保持している、底面部材に対して側面部材が回転しない。つまり、皿部材皿部上面に対して皿部材筒部内面が回転しない。
【課題を解決するための手段】
【０００９】  口紅等を固定する皿部材を皿部材筒部と皿部材皿部に分離して二重構造にし、皿部材皿部を皿部材筒部に対して上下動できるようにする。【００１０】  本発明の口紅等の収納容器において、口紅等が出入りする側を上側とする。【００１１】  皿部材筒部と皿部材皿部とが相対的に位置関係を同じにして、固定筒および回転筒の内側を一緒に上下動する工程を第一工程とする。【００１２】  皿部材皿部が皿部材筒部に対して相対的に位置関係を変えて、固定筒および回転筒の内側を上下動する工程を第二工程とする。この時、皿部材皿部上面が皿部材筒部内面に対して上下動することができる。【００１３】  皿部材筒部に突起を取り付ける。【００１４】  皿部材皿部に突起を取り付ける。【００１５】  皿部材筒部と皿部材皿部に回転筒の縦割孔を上下動できる突起を取り付け、第一工程のとき、皿部材筒部の突起と皿部材皿部の突起とが回転筒の中を一緒に上下動できるようにする。【００１６】  皿部材筒部と皿部材皿部に固定筒の螺旋溝を上下動できる突起を取り付け、第一工程のとき、皿部材筒部の突起と皿部材皿部の突起とが固定筒の中を一緒に上下動できるようにする。【００１７】  この様な発明の場合、第二工程において、皿部材皿部上面に対して皿部材筒部内面が回転しない方法は、幾つかの方法が有る。【００１８】  固定筒の螺旋溝の上端に水平溝を取り付ける方法がある。この方法は特願２００５−１９２７７１において、特許願している。【００１９】  別の方法として、回転筒の縦割孔の上端に水平孔を取り付ける方法がある。本特許願の（背景技術）（０００３）においての、特許文献２および特許文献３もこの方法を用いている。しかし、特許文献２（実開昭６０−４１８４７号公報）および、特許文献３（実開平６−８５６１５号公報）の収納容器では、皿部材筒部に取り付けた突起が回転筒の水平孔を横に移動する間に、つまり、皿部材筒部が回転している間に、皿部材皿部に取り付けた突起が上昇することで、皿部材皿部が皿部材筒部に対して上動（上昇移動）する。しかし、皿部材筒部内面が皿部材皿部上面に対して回転するので、皿部材筒部内面と皿部材皿部上面との間に捩れが生じる。皿部材筒部内面と皿部材皿部上面との間が捩れると、皿部材筒部内面と皿部材皿部上面に固定していた部分の口紅等がこの捩れで変形し、皿部材筒部内面と皿部材皿部上面に固定していた口紅等の周りに亀裂が生じ、皿部材筒部内面と皿部材皿部上面に固定していた口紅が不安定になり、何回か繰り返すと、口紅等が収納容器から落ちてしまう。【００２０】  この方法において、口紅等が収納容器から落ちないようにするには、従来の回転筒の縦割孔の上端に水平孔を取り付ける方法に新たな部品を加えて、新たな細工をする必要がある。【００２１】  口紅等を保持している、底面部材に対して側面部材が回転しない。つまり、皿部材皿部上面（または皿部材皿部上皿）に対して皿部材筒部内面が回転しない必要がある。【００２２】  皿部材皿部上面に対して皿部材筒部内面が回転しない方法は大別すると二つの方法がある。【００２３】  皿部材筒部に取り付けた突起が皿部材筒部内面に対して回転可能にする方法。【００２４】  別の方法は、口紅等を固定している底面が皿部���筒部内面に対して回転不能にする方法。の二通りである。【００２５】  皿部材筒部に取り付けた突起が皿部材筒部内面に対して回転可能にする方法は大別して二つの方法がある。皿部材筒部に回転可能な突起を取り付ける方法。と、皿部材筒部を内筒と外筒に分離し、内筒と外筒を回転可能にする方法。【００２６】  口紅等を固定している底面が皿部材筒部内面に対して回転不能にする方法は、皿部材皿部の上に上皿を取り付けて、皿部材皿部の上皿が皿部材筒部内面に対して回転不能にする方法。このとき、口紅等を固定している底面は皿部材皿部の上皿になる。【００２７】  口紅等を収納するときは、皿部材筒部に取り付けた突起が回転筒の水平孔を横に水平に移動している間に、皿部材皿部に取り付けた突起が螺旋溝を下降移動する。つまり、皿部材筒部に対して皿部材皿部が下降移動する。その後、皿部材筒部と皿部材皿部とが相対的に位置関係を同じにして、固定筒および回転筒の内側を一緒に下動（下降移動）し、口紅等を全て収納容器に収納することができる。
【発明の効果】
【００２８】  高価な口紅等であるため、皿部材を分割していない容器では、皿部材に残された口紅等を筆を用いて取り出していた。この作業を公衆の面前ですることを恥ずかしいと思う人が多かった。本発明の収納容器によって、この問題を解決できる。【００２９】  口紅等を固定する皿部材を皿部材筒部と皿部材皿部に分離して二重構造にした容器は、容器に欠点が多く、ほとんどの二重構造の容器は商品として生産されなかった。また、部品が複雑で、部品数が多く、生産コストが高くなる二重構造の容器は生産しても極少量であった。【００３０】  本発明の収納容器では、従来の皿部材を分割していない容器に、追加する加工として、回転筒に取り付けた縦割孔の上端部に接続して新たに水平孔を取り付ける。および、皿部材を皿部材筒部と皿部材皿部に分離して二重構造にし、数点の新たな部品を皿部材に取り付ける。以上の簡単な構造であるため、従来の皿部材を分割していない収納容器に比べても、生産コストの上昇は微増である。
【発明の実施するための最良の形態】
【００３１】  ここで、皿部材筒部を内筒と外筒に分離し、内筒と外筒を回転可能にする方法。と、皿部材筒部に回転可能な突起を取り付ける方法。以上の二つの方法は、結論として、皿部材筒部突起が皿部材筒部内向に対して回転する方法である。よって、両者は非常に類似しているので、片方の、皿部材筒部に回転可能な突起を取り付ける方法。と、口紅等を固定している底面が皿部材筒部内面に対して回転不能にする方法。以上の二つの方法について説明する。
【００３２】  発明の実施するための最良の形態を図面を参照して説明する。
皿部材筒部に回転可能な突起を取り付ける方法では、
図１および図２において、口紅等を固定する皿部材を皿部材筒部Ｃと皿部材皿部Ｄに分離して二重構造にする。皿部材筒部Ｃの外面に皿部材筒部側面リングＱを回転可能に取り付け、皿部材筒部側面リングＱに皿部材筒部突起Ａを取り付ける。皿部材皿部Ｄに皿部材皿部突起Ｂを取り付ける。
【００３３】  図１、図２および図３において、皿部材筒部Ｃと皿部材皿部Ｄとを回転不能にするため、皿部材筒部Ｃの内面に突起Ｒを取り付け、皿部材皿部Ｄの外面に溝Ｓを取り付ける。皿部材筒部Ｃの内面の突起Ｒと皿部材皿部Ｄの外面の溝Ｓは噛み合うように取り付ける。皿部材筒部Ｃに対して皿部材皿部Ｄが上下動可能に取り付ける。
【００３４】  図１は、第一工程のときで、皿部材の皿部材筒部Ｃと皿部材皿部Ｄに口紅等を保持できる状態である。
【００３５】  図２は、第二工程のときで、皿部材皿部Ｄが皿部材筒部Ｃに対して上昇移動をした状態である。つまり、口紅等を全て出し切った状態である。この時、皿部材筒部突起Ａが縦割孔Ｌの上端部の水平孔Ｇを移動する。つまり、皿部材筒部突起Ａと皿部材筒部側面リングＱの両方が皿部材筒部Ｃに対して回転する。
【００３６】  図８において、回転筒Ｈには縦割孔Ｌを取り付け、縦割孔Ｌの上端部に水平孔Ｇを取り付けた状態である。回転筒Ｈの上端にリングＫを取り付け、回転筒Ｈに回転把持部Ｊを取り付けてある。
【００３７】  図９において、固定筒Ｅの内側に螺旋溝Ｆを取り付けた状態である。
【００３８】  図１、図２、図３、図８および図９において、皿部材筒部突起Ａは回転筒Ｈの縦割孔Ｌと水平孔Ｇを移動可能に取り付ける。皿部材皿部突起Ｂは回転筒Ｈの縦割孔Ｌのみを移動可能に取り付ける。皿部材筒部突起Ａと皿部材皿部突起Ｂは固定筒Ｅの螺旋溝Ｆを上下動可能に取り付ける。
【００３９】  図１０において、本発明の口紅等の収納容器を組み立てた状態である。
【００４０】  図１、図２、図３、図８、図９および図１０において、口紅等を固定する皿部材を皿部材筒部Ｃと皿部材皿部Ｄに分離し、皿部材筒部Ｃの外面に皿部材筒部側面リングＱを回転可能に取り付け、皿部材筒部側面リングＱに皿部材筒部突起Ａを取り付け、皿部材皿部Ｄに皿部材皿部突起Ｂを取り付け、皿部材筒部Ｃの内面に突起Ｒを取り付け、皿部材皿部Ｄの外面に溝Ｓを取り付け、皿部材筒部Ｃの内面の突起Ｒと皿部材皿部Ｄの外面の溝Ｓは噛み合うように取り付け、皿部材筒部Ｃに対して皿部材皿部Ｄが上下動可能に取り付け、回転筒Ｈの内側に皿部材筒部Ｃと皿部材筒部側面リングＱと皿部材皿部Ｄとを上下動可能に取り付け、回転筒Ｈに縦割孔Ｌを取り付け、縦割孔Ｌの上端部に水平孔Ｇを取り付け、回転筒Ｈの上端にリングＫを取り付け、回転筒Ｈに回転把持部Ｊを取り付け、固定筒Ｅの内側に回転筒Ｈを回転可能に取り付け、固定筒Ｅの内側に螺旋溝Ｆを取り付け、皿部材筒部突起Ａは回転筒Ｈの縦割孔Ｌと水平孔Ｇを移動可能に取り付け、皿部材皿部突起Ｂは回転筒Ｈの縦割孔Ｌのみを上下動可能に取り付け、皿部材筒部突起Ａと皿部材皿部突起Ｂは固定筒Ｅの螺旋溝Ｆを上下動可能に取り付けた、以上のことを特徴とする口紅等の収納容器である。
【００４１】  皿部材筒部を内筒と外筒に分離し、内筒と外筒を回転可能にする方法と、以上の、皿部材筒部に回転可能な突起を取り付ける方法を比べると、内筒が皿部材筒部Ｃに相当し、外筒が皿部材筒部側面リングＱに相当する。よって、皿部材筒部を内筒と外筒に分離し、内筒と外筒を回転可能にする方法。と、皿部材筒部に回転可能な突起を取り付ける方法。以上の二つ方法は同じ方法である。
【００４２】  次に、口紅等を固定している底面が皿部材筒部内面に対して回転不能にする方法では、  図４および図５において、口紅等を固定する皿部材を皿部材筒部Ｃと皿部材皿部Ｄに分離して二重構造にする。皿部材皿部Ｄの上に皿部材皿部上皿Ｕを回転可能に取り付ける。皿部材筒部Ｃに対して皿部材皿部Ｄと皿部材皿部上皿Ｕが上下動可能に取り付ける。皿部材筒部Ｃに皿部材筒部突起Ｔを取り付ける。皿部材皿部Ｄに皿部材皿部突起Ｂを取り付ける。
【００４３】  図４、図５、図６および図７において、皿部材筒部Ｃと皿部材皿部上皿Ｕとを回転不能にするため、皿部材筒部Ｃの内面に溝Ｖを取り付け、皿部材皿部上皿Ｕの外面に突起Ｗを取り付ける。皿部材筒部Ｃの内面の溝Ｖと皿部材皿部上皿Ｕの外面の突起Ｗは噛み合うように取り付ける。皿部材筒部Ｃに対して皿部材皿部Ｄと皿部材皿部上皿Ｕが上下動可能に取り付ける。
【００４４】  図４は、第一工程のときで、皿部材の皿部材筒部Ｃと皿部材皿部上皿Ｕに口紅等を保持できる状態である。
【００４５】  図５は、第二工程のときで、皿部材皿部Ｄと皿部材皿部上皿Ｕが皿部材筒部Ｃに対して上昇移動をした状態である。つまり、口紅等を全て出し切った状態である。この時、皿部材筒部突起Ｔが縦割孔Ｌの上端部の水平孔Ｇを移動する。つまり、皿部材筒部突起Ｔ、皿部材筒部Ｃおよび皿部材皿部上皿Ｕの三者方が皿部材皿部Ｄに対して回転する。
【００４６】  図４、図５、図６および図７において、皿部材皿部Ｄと皿部材皿部上皿Ｕの組み合わせを示してある。皿部材皿部上皿Ｕを皿部材皿部Ｄに取り付けるため、皿部材皿部Ｄの上面の中央に穴を開ける。皿部材皿部上皿Ｕの下面に円筒形部材Ｘを取り付け、円筒形部材Ｘに固定用部材Ｙを取り付ける。皿部材皿部上皿Ｕの下面に取り付けた円筒形部材Ｘを皿部材皿部Ｄの上面の中央に開けた穴に回転可能に取り付ける。
【００４７】  図６は、皿部材皿部上皿Ｕと円筒形部材Ｘと固定用部材Ｙの平面図である。
【００４８】  図７は、皿部材皿部上皿Ｕと円筒形部材Ｘと固定用部材Ｙの側面図である。
【００４９】  図８において、回転筒Ｈには縦割孔Ｌを取り付け、縦割孔Ｌの上端部に水平孔Ｇを取り付けた状態である。回転筒Ｈの上端にリングＫを取り付け、回転筒Ｈに回転把持部Ｊを取り付けてある。
【００５０】  図９において、固定筒Ｅの内側に螺旋溝Ｆを取り付けた状態である。
【００５１】  図４、図５、図８および図９において、皿部材筒部突起Ｔは回転筒Ｈの縦割孔Ｌと水平孔Ｇを移動可能に取り付ける。皿部材皿部突起Ｂは回転筒Ｈの縦割孔Ｌのみを上下動可能に取り付ける。皿部材筒部突起Ｔと皿部材皿部突起Ｂは固定筒Ｅの螺旋溝Ｆを上下動可能に取り付ける。
【００５２】  図４、図５、図６、図７、図８および図９において、口紅等を固定する皿部材を皿部材筒部Ｃと皿部材皿部Ｄに分離し、皿部材皿部Ｄの上に皿部材皿部上皿Ｕを回転可能に取り付け、皿部材筒部Ｃに対して皿部材皿部Ｄと皿部材皿部上皿Ｕが上下動可能に取り付け、皿部材筒部Ｃに皿部材筒部突起Ｔを取り付け、皿部材皿部Ｄに皿部材皿部突起Ｂを取り付け、皿部材筒部Ｃの内面に溝Ｖを取り付け、皿部材皿部上皿Ｕの外面の突起Ｗに取り付け、皿部材筒部Ｃの内面の溝Ｖと皿部材皿部上皿Ｕの外面の突起Ｗは噛み合うように取り付け、回転筒Ｈには縦割孔Ｌを取り付け、縦割孔Ｌの上端部に水平孔Ｇを取り付け、回転筒Ｈの上端にリングＫを取り付け、回転筒Ｈに回転把持部Ｊを取り付け、固定筒Ｅの内側に回転筒Ｈを回転可能に取り付け、固定筒Ｅの内側に螺旋溝Ｆを取り付け、皿部材筒部突起Ｔは回転筒Ｈの縦割孔Ｌと水平孔Ｇを移動可能に取り付け、皿部材皿部突起Ｂは回転筒Ｈの縦割孔Ｌのみを上下動可能に取り付け、皿部材筒部突起Ｔと皿部材皿部突起Ｂは固定筒Ｅの螺旋溝Ｆを上下動可能に取り付けた、以上のことを特徴とする口紅等の収納容器である。
【実施例１】
【００５３】  発明の実施例を図面参照して説明する。
図１および図２において、口紅等を固定する皿部材を皿部材筒部Ｃと皿部材皿部Ｄに分離して二重構造にする。皿部材筒部Ｃと皿部材皿部Ｄを金属で作る。皿部材筒部Ｃの大きさは、高さが１２．５ｍｍ、外径が１５ｍｍ、肉厚が１ｍｍの円筒形とする。また、皿部材皿部Ｄの大きさは、高さが１５ｍｍ、外径が１３ｍｍ、肉厚が１ｍｍの円筒形に上方端を肉厚が１ｍｍの円板で塞いだ形とする。皿部材筒部Ｃの外面の上端より３．５ｍｍから６ｍｍまで、深さが０．５ｍｍ、幅が２．５ｍｍの環状の溝を作る。その環状の溝に皿部材筒部側面リングＱを回転可能に取り付る。皿部材筒部側面リングＱを金属で作り、その大きさと形は、高さが２．５ｍｍ、外径が１５ｍｍ、肉厚が０．４ｍｍの円筒形とする。皿部材筒部側面リングＱに皿部材筒部突起Ａを一対取り付ける。皿部材筒部突起Ａの大きさは、長さが１．５ｍｍ、外径が１ｍｍの円筒形とする。皿部材皿部Ｄに皿部材皿部突起Ｂを一対取り付ける。皿部材皿部突起Ｂの大きさは、長さが２．５ｍｍ、外径が１ｍｍの円筒形とする。皿部材筒部突起Ａと皿部材皿部突起Ｂは金属で作る。【００５４】  図１、図２および図３において、皿部材筒部Ｃと皿部材皿部Ｄとを回転不能にするため、皿部材筒部Ｃの内面に突起Ｒを取り付け。皿部材筒部Ｃの内面の突起Ｒは金属で作り、断面の形が高さ０．４ｍｍ、底辺が０．６ｍｍの二等辺三角形とする。皿部材皿部Ｄの外面の溝Ｓを掘り、断面の形が深さ０．５ｍｍ、底辺が０．８ｍｍの二等辺三角形とする。皿部材筒部Ｃの内面の突起Ｒと皿部材皿部Ｄの外面の溝Ｓは噛み合うように取り付ける。皿部材筒部Ｃに対して皿部材皿部Ｄが上下動可能に取り付ける。【００５５】  図８において、回転筒Ｈには縦割孔Ｌを取り付け、縦割孔Ｌの上端部に水平孔Ｇを取り付けた状態である。回転筒Ｈ、リングＫおよび回転把持部Ｊを金属で作る。回転筒Ｈの大きさは、肉厚が０．５ｍｍの円筒形とし、高さが５９ｍｍ、外径が１６．９ｍｍ。また、回転筒Ｈの側面の上端部から下方に４ｍｍの地点から、下方に幅が１．２ｍｍ、長さが５３ｍｍの縦割孔Ｌを一対取り付ける。その一対の縦割孔Ｌの上端に幅が１．２ｍｍの水平孔Ｇを取り付ける。リングＫの大きさは、外径が１９ｍｍ、縦と横の肉厚が１．７５ｍｍで、外角を削ったリング形とする。回転把持部Ｊの大きさは、高さが９．５ｍｍ、外径が２１ｍｍ、側面の肉厚が２．５ｍｍで、底辺の肉厚が０．７ｍｍの円筒形で、外角を削った形とする。回転筒Ｈの上端にリングＫを取り付け、回転筒Ｈに回転把持部Ｊを取り付けてある。【００５６】  図１および図２において、皿部材筒部突起Ａと皿部材皿部突起Ｂとの高さの差は１０．５ｍｍとする。最初は、皿部材筒部突起Ａと皿部材皿部突起Ｂの距離を１０．５ｍｍとする。【００５７】  図９において、固定筒Ｅを金属で作る。固定筒Ｅの大きさは、高さが５８．５ｍｍ、外径が１９ｍｍ、肉厚が１ｍｍの円筒形とする。固定筒Ｅの内側に幅が１．２ｍｍ、深さが０．８ｍｍの螺旋溝Ｆを取り付ける。螺旋溝Ｆのネジが一回転して進む距離のリードを１０．５ｍｍとする。【００５８】  図１、図２、図３、図８、図９および図１０において、口紅等を使用するには、まず、第一工程は、皿部材筒部突起Ａと皿部材皿部突起��が１０．５ｍｍの距離をおいて螺旋溝Ｆを上昇する。螺旋溝Ｆのリードの距離と、皿部材筒部突起Ａと皿部材皿部突起Ｂの距離を同一にすると、皿部材筒部Ｃと皿部材皿部Ｄは回転筒Ｈを垂直に正しく上下する。皿部材筒部Ｃに取り付けた皿部材筒部突起Ａが縦割孔Ｌの上端部に達するまでを第一工程とする。この第一工程では皿部材筒部突起Ａと皿部材皿部突起Ｂが１０．５ｍｍの距離をおいて螺旋溝Ｆを上昇する負荷のみであるため、回転把持部Ｊに加える回転力は比較的小さくても口紅等が上下動する。次に、第二工程は、皿部材筒部Ｃに取り付けた皿部材筒部突起Ａが縦割孔Ｌの上端部に達し、皿部材筒部突起Ａが水平孔Ｇを横に水平に移動している間に、皿部材皿部Ｃに取り付けた皿部材皿部突起Ｂが螺旋溝Ｆと縦割孔Ｌを上昇移動する。このときは、皿部材筒部Ｃの内面と皿部材皿部Ｂの外面との間に摩擦力が発生する。皿部材筒部Ｃの内面と皿部材皿部Ｂの外面との間の摩擦する面積が増加すると、摩擦力も大きくなる。よって、第二工程では、回転把持部Ｊに加える回転力は、最初は小さく、最後は大きくなる。この摩擦力の大きさの調整で第二工程の回転把持部Ｊに加える回転力を調整できる。よって、回転把持部Ｊに加える回転力の大きさは、第一工程と第二工程で自由に設定でき、使い勝手の良い口紅等の収納容器であり、以上のことを特徴とする口紅等の収納容器である。
【実施例２】
【００５９】  図４、および図５において、口紅等を固定する皿部材を皿部材筒部Ｃと皿部材皿部Ｄに分離して二重構造にする。皿部材筒部Ｃと皿部材皿部Ｄを金属で作る。皿部材筒部Ｃの大きさは、高さが１２．５ｍｍ、外径が直径１５ｍｍ、肉厚が１ｍｍの円筒形とする。また、皿部材皿部Ｄの大きさは、高さが１５ｍｍ、外径が１３ｍｍ、肉厚が１ｍｍの円筒形に上方端を肉厚が１ｍｍの円板で塞いだ形とする。皿部材皿部Ｄの上に皿部材皿部上皿Ｕを回転可能に取り付けるために、皿部材皿部Ｄの上面の円筒形の中心に直径２．１ｍｍの穴を開ける。皿部材皿部上皿Ｕを金属で作り、大きさと形は、高さが１ｍｍ、外径が１３ｍｍの円筒形とする。皿部材皿部上皿Ｕの下面に金属で作った円筒形部材Ｘを取り付け、円筒形部材Ｘは外径が２ｍｍ、高さが１．１ｍｍとする。円筒形部材Ｘに金属で作った固定用部材Ｙを取り付ける。固定用部材Ｙの大きさと形は、高さが１ｍｍ、外径が４ｍｍの円筒形とする。皿部材筒部Ｃに皿部材筒部突起Ｔを一対取り付ける。皿部材筒部突起Ｔの大きさは、長さが１．５ｍｍ、外径が１ｍｍの円筒形とする。皿部材皿部Ｄに皿部材皿部突起Ｂを一対取り付ける。皿部材皿部突起Ｂの大きさは、長さが２．５ｍｍ、外径が１ｍｍの円筒形とする。皿部材筒部突起Ｔと皿部材皿部突起Ｂは金属で作る。【００６０】  図４、図５、図６および図７において、皿部材筒部Ｃと皿部材皿部上皿Ｕとを回転不能にするため、皿部材筒部Ｃの内面に溝Ｖを取り付け、皿部材皿部上皿Ｕの外面に突起Ｗを取り付ける。皿部材筒部Ｃの内面の溝Ｖは、断面の形が深さ０．５ｍｍ、底辺が０．８ｍｍの二等辺三角形とする。皿部材皿部上皿Ｕの外面の突起Ｗは金属で作り、断面の形が高さ０．４ｍｍ、底辺が０．６ｍｍの二等辺三角形とする。皿部材筒部Ｃの内面の溝Ｖと皿部材皿部上皿Ｕの外面の突起Ｗは噛み合うように取り付ける。皿部材筒部Ｃに対して皿部材皿部Ｄと皿部材皿部上皿Ｕが上下動可能に取り付ける。【００６１】  図８において、回転筒Ｈには縦割孔Ｌを取り付け、縦割孔Ｌの上端部に水平孔Ｇを取り付けた状態である。回転筒Ｈ、リングＫおよび回転把持部Ｊを金属で作る。回転筒Ｈの大きさは、肉厚が０．５ｍｍの円筒形とし、高さが５９ｍｍ、外径が１６．９ｍｍ。また、回転筒Ｈの側面の上端部から下方に４ｍｍの地点から、下方に幅が１．２ｍｍ、長さが５３ｍｍの縦割孔Ｌを一対取り付ける。その一対の縦割孔Ｌの上端に幅が１．２ｍｍの水平孔Ｇを取り付ける。リングＫの大きさは、外径が１９ｍｍ、縦と横の肉厚が１．７５ｍｍで、外角を削ったリング形とする。回転把持部Ｊの大きさは、高さが９．５ｍｍ、外径が２１ｍｍ、側面の肉厚が２．５ｍｍで、底辺の肉厚が０．７ｍｍの円筒形で、外角を削った形とする。回転筒Ｈの上端にリングＫを取り付け、回転筒Ｈに回転把持部Ｊを取り付けてある。【００６２】  図４および図５において、皿部材筒部突起Ｔと皿部材皿部突起Ｂとの高さの差は１０．５ｍｍとする。【００６３】  図９において、固定筒Ｅを金属で作る。固定筒Ｅの大きさは、高さが５８．５ｍｍ、外径が１９ｍｍ、肉厚が１ｍｍの円筒形とする。固定筒Ｅの内側に幅が１．２ｍｍ、深さが０．８ｍｍの螺旋溝Ｆを取り付ける。螺旋溝Ｆのネジが一回��して進む距離のリードを１０．５ｍｍとする。【００６４】  図４、図５、図６、図７、図８および図９において、口紅等を使用するには、まず、第一工程は、皿部材筒部突起Ｔと皿部材皿部突起Ｂが１０．５ｍｍの距離をおいて螺旋溝Ｆを上昇する。螺旋溝Ｆのリードの距離と、皿部材筒部突起Ｔと皿部材皿部突起Ｂの距離を同一にすると、皿部材筒部Ｃと皿部材皿部Ｄは回転筒Ｈを垂直に正しく上下する。皿部材筒部Ｃに取り付けた皿部材筒部突起Ｔが縦割孔Ｌの上端部に達するまでを第一工程とする。この第一工程では皿部材筒部突起Ｔと皿部材皿部突起Ｂが１０．５ｍｍの距離をおいて螺旋溝Ｆを上昇する負荷のみであるため、回転把持部Ｊに加える回転力は比較的小さくても口紅等が上下動する。次に、第二工程は、皿部材筒部Ｃに取り付けた皿部材筒部突起Ｔが縦割孔Ｌの上端部に達し、皿部材筒部突起Ｔが水平孔Ｇを横に水平に移動している間に、皿部材皿部Ｃに取り付けた皿部材皿部突起Ｂが螺旋溝Ｆと縦割孔Ｌを上昇移動する。このときは、皿部材筒部Ｃの内面と皿部材皿部Ｂの外面との間に摩擦力が発生する。皿部材筒部Ｃの内面と皿部材皿部Ｂの外面との間の摩擦する面積が増加すると、摩擦力も大きくなる。よって、第二工程では、回転把持部Ｊに加える回転力は、最初は小さく、最後は大きくなる。この摩擦力の大きさの調整で第二工程の回転把持部Ｊに加える回転力を調整できる。よって、回転把持部Ｊに加える回転力の大きさは、第一工程と第二工程で自由に設定でき、使い勝手の良い口紅等の収納容器であり、以上のことを特徴とする口紅等の収納容器である。
【産業上の利用可能性】
【００６５】  総務省統計局の平成１７年５月１日現在の人口推計概算値は女性の人口が６５３９万人である。少なく見積もっても、その７割の女性が口紅を使用すると、約４５７７万人の女性が口紅を使用してると考えられる。約４５７７万人の１５％の人が年間に２本の本発明口紅を使用して戴けると、一年間に１３７３万本の本発明の口紅が販売できる。一本当たりの単価を１８００円とすると、２４７億１千万円の販売額が見込むことができ、総売上の２５％が利益とすると、利益額は約６１億７千万円になる。
【図面の簡単な説明】
【００６６】
【図１】本発明に係わる口紅等容器について、発明の実施の形態の説明に供し、皿部材を皿部材筒部と皿部材皿部に分割し、付属品を取り付けた状態の斜視図で部分断面図である。
【図２】同発明の実施の形態の説明に供し、皿部材を皿部材筒部と皿部材皿部に分割し、付属品を取り付けた状態の斜視図で部分断面図である。
【図３】同発明の実施の形態の説明に供し、皿部材筒部と皿部材皿部の平面図である。
【図４】同発明の実施の形態の説明に供し、皿部材を皿部材筒部と皿部材皿部に分割し、付属品を取り付けた状態の斜視図で部分断面図である。
【図５】同発明の実施の形態の説明に供し、皿部材を皿部材筒部と皿部材皿部に分割し、付属品を取り付けた状態の斜視図で部分断面図である。
【図６】同発明の実施の形態の説明に供し、皿部材皿部上皿と固定用部材の平面図である。
【図７】同発明の実施の形態の説明に供し、皿部材皿部上皿と円筒形部材と固定用部材の側面図である。
【図８】同発明の実施の形態の説明に供し、回転筒と回転把持部とリングの斜視図である。
【図９】同発明の実施の形態の説明に供し、固定筒の断面図である。
【図１０】同発明の実施の形態の説明に供し、収納容器全体の部分断面図である。
【符号の説明】
【００６７】Ａ：皿部材筒部突起。                Ｂ：皿部材皿部突起。
Ｃ：皿部材筒部。                    Ｄ：皿部材皿部。
Ｅ：固定筒。                        Ｆ：螺旋溝。
Ｇ：水平孔。                        Ｈ：回転筒。
Ｊ：回転把持部。                    Ｋ：リング。
Ｌ：縦割孔。                        Ｍ：キャップ。
Ｎ：止め具。                        Ｐ：口紅等。
Ｑ：皿部材筒部側面リング。          Ｒ：皿部材筒部の内面の突起。
Ｓ：皿部材皿部の外面の溝。          Ｔ：皿部材筒部突起。
Ｕ：皿部材皿部上皿。                Ｖ：皿部材筒部の内面の溝。
Ｗ：皿部材皿部上皿の外面の突起。    Ｘ：円筒形部材。
Ｙ：固定用部材。
【図１】
2007195925.tif 000003
【図２】
2007195925.tif 000004
【図３】
2007195925.tif 000005
【図４】
2007195925.tif 000006
【図５】
2007195925.tif 000007
【図６】
2007195925.tif 000008
【図７】
2007195925.tif 000009
【図８】
2007195925.tif 000010
【図９】
2007195925.tif 000011
【図１０】
2007195925.tif 000012